(57)【要約】【課題】組立作業時の自由度が向上したレンズ鏡筒等を提供する。【解決手段】レンズ鏡筒２を、レンズＬ２及びプリズムＰを含む光学系を保持する筐体部５０と、前記筐体部５０に設けられ、前記プリズムＰを保持するプリズム保持部７０と、前記プリズム保持部７０における前記プリズムＰの反射面側の領域に設けられ、前記プリズムＰ及び前記レンズＬ２の少なくとも一方の通過を許容する開口部７２とを備える構成としたから、組立作業時の自由度が向上する。【選択図】図３
2008070781.tif 000002
【特許請求の範囲】
【請求項１】
レンズ及びプリズムを含む光学系を保持する筐体部と、
前記筐体部に設けられ、前記プリズムを保持するプリズム保持部と、
前記プリズム保持部における前記プリズムの反射面側の領域に設けられ、前記プリズム及び前記レンズの少なくとも一方の通過を許容する開口部と
を備えるレンズ鏡筒。
【請求項２】
請求項１に記載のレンズ鏡筒において、
前記プリズム保持部に装着され、この装着状態で前記プリズムの前記反射面に対向する装着部材を備えること
を特徴とするレンズ鏡筒。
【請求項３】
請求項２に記載のレンズ鏡筒において、
前記装着部材は、前記プリズムを挟んで設けられた面部間にわたして設けられた軸状部材であること
を特徴とするレンズ鏡筒。
【請求項４】
請求項２に記載のレンズ鏡筒において、
前記装着部材は、前記プリズムを挟んで設けられた面部から突き出して設けられた凸状部材であること
を特徴とするレンズ鏡筒。
【請求項５】
請求項３又は請求項４に記載のレンズ鏡筒において、
前記装着部材は、前記プリズムに当接して前記プリズムの前記プリズム保持部に対する位置を決定する位置決め部を備えること
を特徴とするレンズ鏡筒。
【請求項６】
請求項１から請求項５までのいずれか１項に記載のレンズ鏡筒を備えること
を特徴とする光学機器。
【発明の詳細な説明】
【技術分野】
【０００１】
本発明は、レンズ鏡筒及び光学機器に関するものである。
【背景技術】
【０００２】
複数のレンズ群及びプリズムを含む撮影光学系を備えた光学機器のレンズ鏡筒は、プリズムを囲んで設けられたハウジングを備えたものが知られている（例えば、特許文献１参照）。
【特許文献１】特開２００６−１２６３４８号公報
【発明の開示】
【発明が解決しようとする課題】
【０００３】
従来のレンズ鏡筒は、まず、プリズムをハウジングに装着し、この後にプリズムの出射面に近い順にレンズ群を順番に装着しなければならない等、組立手順の選択肢が少なく、組立作業時の自由度が向上したレンズ鏡筒が望まれていた。
本発明の課題は、組立作業時の自由度が向上したレンズ鏡筒等を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、レンズ（Ｌ２）及びプリズム（Ｐ）を含む光学系を保持する筐体部（５０）と、前記筐体部に設けられ、前記プリズムを保持するプリズム保持部（７０）と、前記プリズム保持部における前記プリズムの反射面側の領域に設けられ、前記プリズム及び前記レンズ（Ｌ２）の少なくとも一方の通過を許容する開口部（７２）とを備えるレンズ鏡筒（２）である。
【０００５】
請求項２の発明は、請求項１に記載のレンズ鏡筒において、前記プリズム保持部（７０）に装着され、この装着状態で前記プリズム（Ｐ）の前記反射面に対向する装着部材（８０）を備えることを特徴とするレンズ鏡筒（２）である。
請求項３の発明は、請求項２に記載のレンズ鏡筒において、前記装着部材（８０）は、前記プリズム（Ｐ）を挟んで設けられた面部（７１）間にわたして設けられた軸状部材であることを特徴とするレンズ鏡筒（２）である。
請求項４の発明は、請求項２に記載のレンズ鏡筒において、前記装着部材（１８０）は、前記プリズム（Ｐ）を挟んで設けられた面部（７１）から突き出して設けられた凸状部材であることを特徴とするレンズ鏡筒（３）である。
【０００６】
請求項５の発明は、請求項３又は請求項４に記載のレンズ鏡筒において、前記装着部材（２８０）は、前記プリズム（Ｐ）に当接して前記プリズムの前記プリズム保持部（７０）に対する位置を決定する位置決め部（２８４）を備えることを特徴とするレンズ鏡筒（４）である。
請求項７の発明は、請求項１から請求項５までのいずれか１項に記載のレンズ鏡筒（２）を備えることを特徴とする光学機器（Ｃ）である。
なお、符号を付して説明した構成は、適宜改良してもよく、また、少なくとも一部を他の構成物に代替してもよい。
【発明の効果】
【０００７】
以上説明したように、本発明のレンズ鏡筒等は、プリズム保持部に開口部を備えるから組立作業時の自由度が向上する。
【発明を実施するための最良の形態】
【０００８】
［実施形態１］
以下、図面を参照して、本発明の実施形態１をあげて、さらに詳しく説明する。なお、以下の実施形態は、レンズ鏡筒を備えた光学機器としてデジタルカメラＣ（以下、カメラＣという）を例にとって説明する。
図１は、実施形態１のカメラを示す斜視図である。
図２は、図１に示すカメラに備えられたレンズ鏡筒の光軸を含む側断面図である。
図３は、図２に示すレンズ鏡筒の斜視図である。
【０００９】
カメラＣは、レンズ非交換式のカメラであり、ボディ１及びレンズ鏡筒２を備えている。
ボディ１は、例えば、合成樹脂材料又はステンレス鋼等の金属材料によって、厚さ方向寸法が高さ方向寸法及び幅方向寸法よりも小さい略直方体状に形成され、その内部に空間を備えた箱型の容器である。
【００１０】
以下、このカメラＣにおいて、厚さ方向に直交する２つの面部をそれぞれ正面部及び背面部と称して説明する。このカメラＣは、例えば、ボディ１の背面部に図示しない液晶表示装置を備え、通常撮影位置において背面部が撮影者に対向し、正面部が被写体に対向する。
ここで、本明細書において、カメラＣの通常撮影位置とは、カメラＣの正面部及び背面部を鉛直面に対して略平行にして横長の画像を撮影するときのカメラＣの姿勢を指すものとする。以下、カメラＣを構成する各要素の配置は、後述するレンズ鏡筒２の組立手順の説明も含め、この通常撮影位置を基準に上下方向を設定して説明する。
【００１１】
レンズ鏡筒２は、ボディ１の内部に設けられた空間部内に収容され、図２に示すように、第１レンズ群Ｌ１、第２レンズ群Ｌ２、第３レンズ群Ｌ３、第４レンズ群Ｌ４、第５レンズ群Ｌ５、プリズムＰ、ＣＣＤ１０、第３群保持枠２０、第５群保持枠３０、ブレ補正部４０、筐体部５０を備えている。
【００１２】
第１レンズ群Ｌ１、第２レンズ群Ｌ２、第３レンズ群Ｌ３、第４レンズ群Ｌ４、及び、第５レンズ群Ｌ５は、協働して５群構成のズームレンズを形成するカメラＣの撮影光学系である。
プリズムＰは、第１レンズ群Ｌ１と第２レンズ群Ｌ２との間に配置されている。プリズムＰは、入射面、反射面、出射面、及び、一対の側面を備えた５面体であり、第１レンズ群Ｌ１から出射した光を反射面で全反射させてその進行方向を第２レンズ群Ｌ２に向けて、例えば、９０°屈折させる公知の直角反射プリズムである。このように、レンズ鏡筒２に備えられた撮影光学系は、いわゆる、屈曲光学系になっている。
【００１３】
以下、レンズ鏡筒２の撮影光学系において、プリズムＰの入射側の光軸、出射側の光軸にそれぞれ符号Ａ１、Ａ２を付して説明する。光軸Ａ１及び光軸Ａ２は、カメラＣを通常撮影位置とした状態において、それぞれ略水平方向、略鉛直方向に延在している。
第１レンズ群Ｌ１は、撮影光学系のうち、最も入射側に配置された光学素子であり、撮影時にその入射面がボディ１の表面に露出するようになっている（図１参照）。
第２レンズ群Ｌ２は、プリズムＰの出射側であって、プリズムＰに隣接して設けられている。この第２レンズ群Ｌ２及び第１レンズ群Ｌ１は、後述する筐体部５０に固定されている。
第３レンズ群Ｌ３は、第２レンズ群Ｌ２の出射側に設けられ、不図示のアクチュエータによって光軸Ａ２方向に駆動されるようになっている。
【００１４】
第４レンズ群Ｌ４は、第３レンズ群Ｌ３の出射側に設けられている。この第４レンズ群Ｌ４は、後述するブレ補正部４０の一部である可動枠４１に固定され、像ブレ補正時にブレ補正レンズとして機能するものである。ブレ補正部４０の構成については、後に説明する。
第５レンズ群Ｌ５は、第４レンズ群Ｌ４の出射側に設けられ、不図示のアクチュエータによって光軸Ａ２方向に駆動されるようになっている。
【００１５】
ＣＣＤ１０は、撮影光学系によって結像された被写体像光を電気信号に変換する光−電気変換素子である。ＣＣＤ１０は、第５レンズ群Ｌ５の出射側に配置され、その撮像面が略水平とされた状態で後述する筐体部５０の下端部に固定されている。なお、カメラＣは、撮像素子としてＣＣＤ１０の変わりにＣＭＯＳ等を使用することができる。
【００１６】
第３群保持枠２０は、第３レンズ群Ｌ３を保持する枠体である。
第５群保持枠３０は、第５レンズ群Ｌ５を保持する枠体である。
第３群保持枠２０及び第５群保持枠３０は、筐体部５０に収容され、それぞれ独立して筐体部５０に対して光軸Ａ２方向に移動可能に設けられている。これに対し、第１レンズ群Ｌ１及び第２レンズ群Ｌ２は、筐体部５０に直接固定されており、それぞれ筐体部５０に対して光軸Ａ１方向、Ａ２方向への移動が不可能とされている。また、ブレ補正レンズである第４レンズ群Ｌ４も、同様に筐体部５０に対する光軸Ａ２方向の移動が実質的に不可能とされている。
【００１７】
ブレ補正部４０は、第４レンズ群Ｌ４を保持する可動枠４１を備えており、この可動枠４１は、筐体部５０に対し図示しない複数のボールによって光軸Ａ２に直交する平面内で移動自在に支持されている。
ブレ補正部４０は、この可動枠４１を筐体部５０、すなわち、ＣＣＤ１０に対して、撮影者の手ブレ等に起因する被写体像の像ブレを打ち消す方向に駆動することによって、ＣＣＤ１０に結像される被写体像の像ブレを補正する公知のブレ補正制御を行うようになっている。
【００１８】
筐体部５０は、撮影光学系、プリズムＰ及びブレ補正部４０を収容する容器であり、ボディ１に収容されている。筐体部５０は、全体的な形状が略角筒状とされ、その長手方向が鉛直方向に略平行に配置されている。
筐体部５０は、第１群保持部６０、プリズム保持部７０を備えている。
第１群保持部６０は、筐体部５０の上端部であって、カメラＣの通常撮影時に光軸Ａ１方向に沿って被写体に面する面部が開口して形成された部分である。第１レンズ群Ｌ１は、この開口部に嵌め込まれ、例えば、接着剤によって筐体部５０に固定されている。
【００１９】
プリズム保持部７０は、プリズムＰを保持する部分であり、筐体部５０の上端部に設けられている。プリズム保持部７０は、側面部７１、開口部７２、脱落防止ピン８０を備えている（側面部７１は、図示を省略する）。
側面部７１は、プリズムＰの両側面にそれぞれ対向して設けられた一対の面部である。以下、プリズムＰの一方の側面に対向する部分を側面部７１ａと称し、プリズムＰの他方の側面に対向する部分を側面部７１ｂと称する。本実施形態１において、側面部７１ａは、プリズムＰを入射面側（光軸Ａ１方向被写体側）から見たときに、プリズムＰの右方の側面に対向する面部であり、側面部７１ｂは、プリズムＰの左方の側面に対向する面部である。
また、側面部７１ａ、７１ｂは、光軸Ａ１及び光軸Ａ２にそれぞれ直交する方向に貫通した貫通穴を備えている。この貫通穴は、後述する脱落防止ピン８０が貫通する部分である。
【００２０】
開口部７２は、筐体部５０のうち、プリズムＰの反射面側の領域が、例えば、切り欠かれて設けられた部分である。ここで、本明細書においてプリズムＰの反射面側の領域とは、プリズムＰの反射面に近接した領域を意味するものとし、仮に、プリズム保持部７０がプリズムＰの全体を覆う形状であると想定すると、プリズムＰの反射面に対向する面部を意味する。
プリズムＰの反射面は、カメラを通常撮影位置にしたときに水平面に対して、例えば、４５°傾斜しており、開口部７２は、筐体部５０の上端面においてプリズムＰの入射面を含む平面よりも光軸Ａ１方向撮影者側の領域が開口するとともに、筐体部５０の背面（光軸Ａ１方向撮影者側を向いた面部）においてプリズムＰの出射面を含む平面よりも光軸Ａ２方向上方の領域が開口して形成されている。
これにより、開口部７２の開口広さ（開口部７２の大きさ）は、プリズムＰ及び第２レンズ群Ｌ２のいずれも通過可能な大きさとなっている。
【００２１】
脱落防止ピン８０は、側面部７１に設けられた一対の貫通穴を貫通して一対の側面部７１にわたして装着される装着部材である。
脱落防止ピン８０は、軸部８１、頭部８２及び制限部８３を備えている（脱落防止ピン８０の形状については、図４参照）。
軸部８１は、光軸Ａ１及び光軸Ａ２にそれぞれ直交する方向に延在して設けられ、光軸Ａ１及び光軸Ａ２を含む断面の形状が円形とされた丸棒状の軸状部分である。軸部８１は、その外周面がプリズムＰの反射面に対向して配置されている。
頭部８２は、軸部８１の一方の端部に軸部８１と同心に設けられた円板状の部分である。以下、軸部８１の両端部のうち、この頭部８２が設けられた側の端部を基端部と称するとともに、反対側の端部を先端部と称して説明する。
【００２２】
制限部８３は、軸部８１の先端部よりも、例えば、側面部７１の厚みの分だけ基端部寄りの領域が軸部８１の他部よりも太く形成された部分である。
軸部８１は、制限部８３よりも先端部側の領域が側面部７１ａの貫通穴を通過可能とされ、制限部８３において、側面部７１ａの通過が制限されるようになっている。これによって、脱落防止ピン８０の光軸Ａ１及び光軸Ａ２にそれぞれ直交する方向の位置が決定される。
【００２３】
これに対し、側面部７１ｂの貫通穴の径寸法は、制限部８３の通過を許容するように側面部７１ａの貫通穴の径寸法よりも大きく設定されている。また、軸部８１の基端部は、この側面部７１ｂの貫通穴の径寸法に対応して軸部８１の他の部分よりも径寸法が大きく（太く）形成されている。
【００２４】
次に、第１レンズ群Ｌ１、第２レンズ群Ｌ２、及び、プリズムＰの筐体部５０に対する装着手順について、図４から図７を用いて説明する。
図４は、図３に示すレンズ鏡筒の第１レンズ群、第２レンズ群、プリズム及び脱落防止ピンが装着される前の状態を示している。
図５は、図４に対し筐体部に第２レンズ群が装着された状態を示している。
図６は、図５に対し筐体部に脱落防止ピンが装着された状態を示している。
図７は、図６に対し筐体部にプリズムが装着された状態を示している。
【００２５】
レンズ鏡筒２は、図４に示す状態から、まず筐体部５０に第２レンズ群Ｌ２が装着される（図５参照）。
このとき第２レンズ群Ｌ２は、筐体部５０の上方（光軸Ａ２に平行な方向）から、プリズム保持部７０に設けられた開口部７２を介して筐体部５０に挿入される。この後、第２レンズ群Ｌ２は、接着剤によって筐体部５０に接着されて固定される。
次いで、図６に示すように脱落防止ピン８０が、プリズム保持部７０に装着される。脱落防止ピン８０は、例えば、接着材によってプリズム保持部７０の側面部７１に接着されて固定される。
【００２６】
この後、図７に示すようにプリズムＰがプリズム保持部７０に装着される。プリズムＰは、光軸Ａ１方向被写体側から第１群保持部６０の開口部を介してプリズム保持部７０における一対の側面部７１の間に挿入される。
ここで、プリズム保持部７０は、予め脱落防止ピン８０が装着されているので、プリズムＰは、プリズム保持部７０を通り抜けて開口部７２から脱落することが防止される。
【００２７】
レンズ鏡筒１は、最後に第１レンズ群Ｌ１が第１群保持部６０に装着され、例えば、接着剤によって筐体部５０に固定される（図３参照）。
プリズムＰは、第１レンズ群Ｌ１が筐体部５０に固定された後に位置調整が行われ、この後に接着剤によってプリズム保持部７０に固定される。なお、プリズムＰと脱落防止ピン８０とは、プリズムＰが固定された状態において、当接していてもよいし、当接していなくてもよい。
【００２８】
以上説明した実施形態１のレンズ鏡筒２は、以下の効果を得ることができる。
（１）プリズム保持部７０に開口部７２を設けたから、第２レンズ群Ｌ２やプリズムＰを筐体部５０の上方から装着することができる。また、プリズムＰを光軸Ａ１方向の撮影者側から装着することもできる。
また、レンズ鏡筒２は、これに限らず他の組立手順によって組み立てることもできる。
図８は、実施形態１のレンズ鏡筒の他の組立手順を示す図である。
プリズムＰは、第２レンズ群Ｌ２と同様に光軸Ａ２方向上方から筐体部５０に装着される。この場合、脱落防止ピン８０は、プリズムＰの装着後に側面部７１に装着される。
このように、実施形態１のレンズ鏡筒１は、撮影光学系の構成要素を筐体部５０に対して装着する装着パターンに複数の選択肢がある。したがって、レンズ鏡筒の組立作業時の自由度が向上する。これによって、レンズ鏡筒２の設計の自由度等を向上することができる。
ここで、仮に、プリズム保持部７０が開口部７２を備えず、プリズムＰの全体を覆う形状のプリズム保持部を備える筐体部（以下、比較形態の筐体部５０ｃと称する。比較形態の筐体部５０ｃは、図示を省略する）を想定すると、この比較形態の筐体部５０ｃは、プリズムＰを筐体部の前方（光軸Ａ１方向被写体側）から挿入する必要があり、組立時の作業パターンは実質的に１通りに限定される。
また、比較形態の筐体部５０ｃは、光軸Ａ２上に配置される第２レンズ群Ｌ２から第５レンズ群Ｌ５を筐体部５０ｃの下方から、第２レンズ群Ｌ２、第３レンズ群Ｌ３、第４レンズ群Ｌ４、第５レンズ群Ｌ５の順番で装着しなければならない。この場合、第２レンズ群Ｌ２に第３レンズ群Ｌ３よりも口径が大きいレンズを使用することが困難である。
これに対し、実施形態１のレンズ鏡筒２は、第２レンズ群Ｌ２を筐体部５０の上方から筐体部５０に装着することが可能であるので、第２レンズ群Ｌ２に第３レンズ群Ｌ３よりも口径の大きなレンズを使用することができる。
【００２９】
（２）プリズム保持部７０に開口部７２を設けたから、プリズムＰの位置調整を行う際の作業性が向上する。
（３）プリズム保持部７０に脱落防止ピン８０を装着したから、プリズムＰが開口部７２から脱落することを防止できる。
【００３０】
［実施形態２］
次に、本発明のレンズ鏡筒の実施形態２について説明する。
以下説明する実施形態２及び実施形態３において、上述した実施形態１と同様な機能を果たす部分には、同一の符号又は末尾に統一した符号を付して、重複する説明や図面を適宜省略する。
実施形態２のレンズ鏡筒３は、実施形態１のレンズ鏡筒２がプリズムＰの脱落をプリズム保持部７０の一対の側面部７１にわたして設けられた一本の脱落防止ピン８０によって防止するのに対し、プリズムＰの脱落を一組の脱落防止ピン１８０によって防止する点が異なっている。以下、一組の脱落防止ピン１８０のうち、側面部７１ａに装着されるものを脱落防止ピン１８０ａと称し、側面部７１ｂに装着されるものを脱落防止ピン１８０ｂと称して説明する。
以下、一組の脱落防止ピン１８０について説明する。
図９は、実施形態２のレンズ鏡筒３におけるプリズム保持部１７０を示す図であり、プリズムＰを反射面側からみた正面図である。
【００３１】
脱落防止ピン１８０ａは、軸部１８１ａと頭部１８２ａとを備えている。
脱落防止ピン１８０ａは、軸部１８１ａが側面部７１ａを貫通し、頭部１８２ａが側面部７１ａに当接した状態で側面部７１ａに、例えば、接着剤によって固定されている。
また、脱落防止ピン１８０ｂも、脱落防止ピン１８０ａと同様に軸部１８１ｂと頭部１８２ｂとを備え、軸部１８１ｂが側面部７１ｂを貫通するとともに、頭部１８２ｂが側面部７１ｂに当接している。
そして、一組の脱落防止ピン１８０は、この側面部７１への装着状態において軸部１８１ａ、１８１ｂが側面部７１の互いに対向する面から光軸Ａ２側に突き出している。この軸部１８１ａ、１８１ｂの突き出し量は、特に限定されないものとする。
実施形態２のレンズ鏡筒３も実施形態１のレンズ鏡筒２と同様に、プリズムＰのプリズム保持部７０からの脱落を防止することができる。
【００３２】
［実施形態３］
次に、本発明のレンズ鏡筒の実施形態３について説明する。
実施形態３のレンズ鏡筒３は、実施形態１のレンズ鏡筒２の脱落防止ピン８０に変わる位置決めピン２８０を備えている。この位置決めピン２８０は、その外周面に位置決め突起２８４が設けられており、この位置決め突起２８４によってプリズムＰの位置を決定するようになっている。
【００３３】
以下、位置決めピン２８０について説明する。
図１０は、実施形態３のレンズ鏡筒４におけるプリズム保持部２７０を示す図であり、プリズムＰを反射面側からみた正面図である。
位置決めピン２８０は、その外周面に位置決め突起２８４を備えている点を除き、実施形態１の脱落防止ピン８０と略同様の構成を有している。位置決め突起２８４は、軸部８１の軸線方向に離間して、例えば、２つ設けられている。
位置決め突起２８４は、軸部８１の外周面から軸部８１の外径側に突き出して形成されたフランジ状の部分であり、その厚さ方向（軸部８１の軸線方向に平行な方向）の寸法が先端部（外周縁部）に向かって次第に小さくなるように形成されている。
【００３４】
実施形態３のレンズ鏡筒４は、実施形態１のレンズ鏡筒２と同様にプリズム保持部２７０に対し、位置決めピン２８０が装着された後にプリズムＰが光軸Ａ１方向被写体側から装着される。
このとき、プリズムＰは、その反射面が位置決めピン２８０の位置決め突起２８４に当接する。
位置決め突起２８４の突出量は、このプリズムＰに当接した状態でプリズムＰの位置が第１レンズ群Ｌ１及び第２レンズ群Ｌ２に対して調整が不要となる位置となるように設定されている。
このように、実施形態３のレンズ鏡筒４は、プリズムＰの位置を位置決めピン２８０によって決定することができるので、プリズムＰをプリズム保持部２７０に装着した後の調整作業が不要であり、レンズ鏡筒３の製造効率が向上する。
【００３５】
［変形形態］
本発明は、以上説明した実施形態に限定されることなく、種々の変形や変更が可能であって、それらも本発明の技術的範囲内である。
（１）本発明のレンズ鏡筒等の構成は、実施形態に記載したものに限らず適宜変更が可能である。例えば、実施形態のレンズ鏡筒は、ＣＣＤを備えるとともに撮影光学系を構成するレンズ群を収容するものであったが、これに限らず、ファインダスクリーンやペンタプリズム等を含むファインダ光学系を収容したものであってもよい。
（２）実施形態のレンズ鏡筒は、軸状に形成された脱落防止ピンによってプリズムの脱落を防止したが、プリズムの脱落を防止できれば、形状は軸状に限定されず、例えば、板状に形成された蓋体を装着してプリズム保持部の開口部を塞いでもよい。また、プリズムは、接着剤によって筐体部に固定されるので、これらの脱落防止部材は、なくてもよい。
（３）実施形態におけるプリズム保持部の開口部は、プリズム及び第２レンズ群のいずれも通過させることができるようにその開口広さが設定されていたが、開口部の開口広さは、これに限らず、例えば、プリズム及び第２レンズ群の一方のみが通過できる大きさでもよい。
（４）実施形態の光学機器は、デジタルカメラであったが、光学機器は、これに限らず、例えば、顕微鏡、望遠鏡、潜望鏡等であってもよい。
【図面の簡単な説明】
【００３６】
【図１】実施形態１のカメラを示す斜視図である。
【図２】図１のカメラに備えられたレンズ鏡筒の側断面図である。
【図３】図２に示すレンズ鏡筒の斜視図である。
【図４】図３に示すレンズ鏡筒の組立手順を示す図である。
【図５】図３に示すレンズ鏡筒の組立手順を示す図である。
【図６】図３に示すレンズ鏡筒の組立手順を示す図である。
【図７】図３に示すレンズ鏡筒の組立手順を示す図である。
【図８】図３に示すレンズ鏡筒の他の組立手順を示す図である。
【図９】実施形態２のレンズ鏡筒に備えられたプリズム保持部を示す図である。
【図１０】実施形態３のレンズ鏡筒に備えられたプリズム保持部を示す図である。
【符号の説明】
【００３７】
２  レンズ鏡筒  ：  ５０  筐体部  ：  ７０  プリズム保持部  ：  ７２  開口部  ：  ８０  脱落防止ピン  ：  Ｃ  カメラ  ：  Ｌ１  第１レンズ群  ：  Ｌ２  第２レンズ群  ：  Ｐ  プリズム
【図１】
2008070781.tif 000003
【図２】
2008070781.tif 000004
【図３】
2008070781.tif 000005
【図４】
2008070781.tif 000006
【図５】
2008070781.tif 000007
【図６】
2008070781.tif 000008
【図７】
2008070781.tif 000009
【図８】
2008070781.tif 000010
【図９】
2008070781.tif 000011
【図１０】
2008070781.tif 000012